(57)【要約】【課題】多芯ケーブル選別時、選別器に番号通りのケーブルを入れる事によりケーブル番号の誤認を防ぎ、ケーブルと端子圧着の作業時間の短縮化を図る為の選別器【解決手段】本考案は、ケーブル１本１本を専用選別器の指定の穴に通すことにより、線名札を一人で容易に取り付ける事ができ、且つ、ケーブル番号の誤認を防ぎ、作業の能率を高め、作業時間を短縮する事に役立つ。【選択図】図１
0003110159.tif 000002
【実用新案登録請求の範囲】
【請求項１】
一面に複数の溝を列設してなる一対の矩形の板状体を、その溝に対抗させて配置し、一端を蝶番構造物により連結し、開閉端側に連結具を設けて開閉可能にし、且つ、溝に識別記号を付した事を特徴とする多芯制御ケーブル選別器
【請求項２】
両面に複数の溝を削設してなる基盤と、片面に前記基盤の溝に対応する溝を削設してなる板状体とをその溝を対抗させて配置し、基盤及び板状体の一端を開動可に連結すると共に、他端側に両者を固定する固定具を設け、且つ、前記溝に識別記号を付した事を特徴とする多芯制御ケーブル選別器
【請求項３】
請求項1，2に記載の制御ケーブル選別器において、平板に形成される溝が端面をテーパー状に形成した事を特徴とする制御ケーブル選別器
【請求項４】
請求項１〜２記載の多芯制御ケーブル選別器において、板状体及び、又は、基盤に選別器取付用の器具を設ける多芯制御ケーブル選別器
【考案の詳細な説明】
【技術分野】
【０００１】
本考案は、ケーブルを専用選別器により容易に選別出来るようにした多芯ケーブル選別に関するものである。
【背景技術】
【０００２】
制御ケーブルは、多芯ケーブルとして、主に２〜３０本程度の細径の素線を束ねて、ケーブルとされ、コイル状で供給されるが、これを機器の配線として使用するに際しては、その前の段階における作業として、ケーブルの先端の外被を所要の長さだけ剥ぎ取り、素線の外被の表面に印字されている識別符号（例えば数字）に従って識別タグを固着すると共に、端子を固定する作業が行われる。多芯制御ケーブルを選別し、識別タグと端子を固定する作業の際、ケーブル番号に合わせて細紐でケーブルを番号順に編み、その後、ケーブルに識別タグを取り付け、取り付け後はケーブルの番号を識別タグにより認識している。しかし、ケーブル番号に合わせて識別タグを付ける際、ケーブル番号の１・７及び、３・８，６・９を誤認する確率が高く、誤認されたまま取り付けられることが多々あり、これを回避する為に、これまで二人一組となりチェックを何度も重ねて識別タグを取り付けていた。しかし、ケーブルの配線工事は、狭隘箇所にて作業する事が多く、作業時間もかかり、大変能率の悪い作業となっていた。また、細紐で編んだケーブルは、識別タグを取り付け後は、ケーブル素線の配線の支障とならないように外すようにしているが、その作業にもかなりの時間を要し、作業負担を増やす結果となっていた。
【考案の開示】
【考案が解決しようとする課題】
【０００３】
本考案は、前述の点に鑑なされたもので、多芯制御ケーブルに対する識別タグならびに端子固定作業に伴う制御ケーブル素線の識別を容易に短時間に且つ、単独作業が可能となる選別器を提供する事にある。
【課題を解決するための手段】
【０００４】
前述の課題を解決する為の本考案に係る多芯制御ケーブル選別器の構成は、一面に複数の溝を列設してなる一対の矩形の板状体を、その溝に対抗させて配置し、且つ、一端を閉動可能に連結し、開多端に閉止具を設けて開閉可能にし、さらに、前記溝に識別記号を付した点に存するものである。
【０００５】
また、本考案に係る多芯制御ケーブル選別器の構成は、両面に複数の溝を削設してなる基盤と、片面に前記基盤の溝に対応する溝を削設してなる板状体とをその溝を対抗させて配置し、基盤及び板状体の一端を開動可に連結すると共に、他端側に両者を固定する固定具を設け、且つ、前記溝に識別記号を付した点に存するものである
【０００６】
さらに、本考案に係る多芯制御ケーブル選別器の構成は、請求項1，2に記載の制御ケーブル選別器において、平板に形成される溝が端面をテーパー状に形成した事を特徴とする制御ケーブル選別器に存するものである。
【０００７】
さらにまた、本考案に係る多芯制御ケーブル選別器の構成は、請求項１〜２記載の多芯制御ケーブル選別器において、板状体及び、又は、基盤に選別器取付用の器具を設ける
【考案の効果】
【０００８】
本考案の多芯制御ケーブル選別器によれば、制御ケーブル素線の外皮に印字されている識別記号に基づいて、選別器に設けられた溝に付与されている識別記号と合致する溝に順次挿入する事でケーブル素線の識別を可能とし、一人で容易に線名札を取りつける事が出来る事はもちろん、ケーブル番号の誤認も防ぐことが出来るため安全作業が出来、作業能率が上がり、作業時間も短縮できるものである。
【考案を実施するための最良の形態】
【０００９】
多芯制御ケーブル選別器のマジックの部分を閉じた状態で、制御ケーブルの番号と同じ番号が振ってある選別器の穴にケーブルを通す。その際、テーパーのついている穴の方からケーブルを通すと穴の入り口が広くなっている為容易に通すことが出来る。全てのケーブルを同じ番号の選別器の穴に通したら、線名札を付け、選別器をケーブルより取り外し、ケーブルと指定の端子とを圧着する。
【実施例】
【００１０】
以下、図示の実施例に基づいて、本考案に係る多芯制御ケーブル選別器について説明するに、１は、プラスチック樹脂、金属、木質材料からなる矩形形状の板状体があって、その一面側には等間隔に複数の半円弧状の溝２が形設され、前記溝２の少なくとも一方の端面には外方に向かって拡径するテーパー部３が形成されている。一対の板状体１、１´の溝２によってケーブルの挿通穴６が形成するように溝２が対向するように配し、その一端を蝶番４で連結固定し、板状体１、１´の開閉運動を可能となし、多端側に板状体１、１´を閉止する為の特に限定するものではないが、平面状ファスナー（商品名マジックテープ（登録商標））、スナップボタン、マグネット等からなる固定具５が設けられている。
【００１１】
また、溝２によって形成されるケーブルの挿通穴６を弁別するように、溝２の近傍の適宜の位置に数字、アルファベット、文字の識別記号がマーキングされている。図示の実施例にあっては、挿通穴６の入口／出口側に相当する板状体１の端面、及び平板面に付与され、いずれの方向からも挿通穴が識別可能とされている。前述の実施例にあっては、一対の板状体１を蝶番４によって連結し、開閉自在としているが、図５に示すように板状体１のそれ自身が蝶番構造となるように一方に突出する突部８を形成し、他方の板状体１´に前記突部８が融合する突出部９を形成し、両者をピン１０により連結する構成を採用することも可能である。また、選別器を構成する板状体１の平面側にマグネット１１を設ける事によって、ケーブルの選別に際して、ケーブルを配線する配電盤（制御盤）等に固定させ、選別器を保持することなく、簡単に選別作業をなすことが出来る。
【００１２】
前述の構成を有する選別器において、選別器は、固定具５により挿通穴６が画成された状態で、分電盤（配電盤）の適宜位置にマグネット１１を利用して固定しておき、次いで、多芯制御ケーブル選別器の外皮を剥離し、ケーブルを構成する各ケーブル素線の外皮に印字されている識別記号を確認しながら、該当する挿通穴６に挿しこむ作業をなすが、このとき、挿通穴６の１箇所にケーブル素線が重複するケースが発生するが、その場合には、基準となる選別器の識別記号と、ケーブル素線の外皮にマーキングされている識別記号との確認を行い、整合性の修正をする事によって、誤認することが回避される事となり、確認作業も単独で成し得る事が可能となり、加えて、素線の確認作業についても,識別記号順に素線を探す必要がなく、ランダム（任意のものから）に行うことが可能となり、作業性も向上する。選別器に多芯ケーブルの各素線が順次挿通穴６に過不足なく挿通された事を確認した後、各ケーブル素線に識別タグを付与したのち、固定具５を外して、ケーブル素線を取り出す。
【００１３】
さらに、図４に基づいて、第２の実施例について説明する。両面に前途の実施例と同様に複数の溝２１を列設して形成してなる基盤２０に対して、板状体１を重合させて、両者の溝２、２１によって、ケーブルの挿通穴２２を形成し、板状体１と基板２０の両端を交互に蝶番４により開閉可に連結し、反対側に固定具５を設けている。なお、図示を省略したが、前述すると同様に選別作業をより行いやすく、板状体１の平面側にマグネットを設けることも可能である。また基板２０に複数の溝を形成する事によって、選別可能本数を増大させることも可能である。
【図面の簡単な説明】
【００１４】
【図１】本考案に係る多芯制御ケーブル選別器の第一の実施態様を示す正面図
【図２】本考案に係る多芯制御ケーブル選別器の平面図
【図３】本考案に係る多芯制御ケーブル選別器の側面図
【図４】本考案に係る多芯制御ケーブル選別器の第二の実施態様を示す正面図
【図５】本考案に係る多芯制御ケーブル選別器の連結構成の一例を示す説明図
【符号の説明】
【００１５】
１   板状体
１′ 板状体
２   溝
３   テーパー部
４   蝶番
５   固定具
６   挿通穴
７   識別番号
８   突部
９   突出部
１０  ピン
１１  マグネット
２０  基盤
２１  溝
２２  挿通穴
【図１】
0003110159.tif 000003
【図２】
0003110159.tif 000004
【図３】
0003110159.tif 000005
【図４】
0003110159.tif 000006
【図５】
0003110159.tif 000007